(57)【特許請求の範囲】
【請求項１】
アナログ信号を第１の装置に送信するとともに、前記第１の装置から出力されたアナログ信号を受信するループコイルアンテナを含む送受信手段と、
アンテナ識別ＩＤを記憶したメモリを含み、第２の装置からのデジタル信号を、前記第１の装置に送信するアナログ信号に変換するとともに、前記第１の装置から受信したアナログ信号を、前記第２の装置に供給するデジタル信号に変換する変換手段とからなり、
略平面のカード上に、前記変換手段を前記送受信手段の中央に配置した一体化した構造からなる送受信装置であり、
前記第２の装置は、マルチドロップ方式で通信を行う装置であり、
前記第２の装置からのデータに含まれるアンテナ識別ＩＤが、前記メモリに記憶されている前記アンテナ識別ＩＤと同一である場合、前記データに含まれているコマンドを処理し、
前記第２の装置に前記送受信装置が増設され、その増設された送受信装置に電力が供給された時点で、その増設された送受信装置自信が増設されたものであることを知らせる信号を前記第２の装置に対して出力する
送受信装置。
【請求項２】
前記送受信手段は、前記第１の装置と無線で通信を行い、
前記第２の装置とも無線で通信を行い、
前記第１の装置と前記第２の装置のそれぞれの無線通信は、データの始まりを示すシンクパターンが異なるパターンの同一の周波数のキャリア信号が使用される
請求項１に記載の送受信装置。
【発明の詳細な説明】
【０００１】
【発明の属する技術分野】
本発明は送受信装置に関し、特に、非接触型のICカードを用いたシステムに用いて好適な送受信装置に関する。
【０００２】
【従来の技術】
近年、交通機関の改札口を通るとき、建物内の認証が必要な扉を開閉するとき、ネットワークに接続されている端末を用いるとき、工場や倉庫などの商品管理や在庫管理などを行うときなどに、非接触型のIC（Integrated Circuit）カードを用いることが普及しつつある。図１は、非接触型ICカード（以下、単にICカードと略記する）を用いる場合のシステムを示すブロック図である。ホストコンピュータ１は、パーソナルコンピュータなどから構成され、全体を管理し、データ変換装置２は、ホストコンピュータ１からのコマンドやアンテナ３からのレスポンスを、それぞれ出力する装置にあった形式のデータに変換する。アンテナ３は、ICカード４と非接触に（無線により）情報の授受を行う。
【０００３】
ICカード４は、通信部５、処理部６、および記憶部７から構成されている。アンテナ３から出力されたコマンドは、ICカード４の通信部５により受信され、処理部６は、受信されたコマンドを解析する。記憶部７は、所定の情報を記憶しており、処理部６により、必要に応じ、読み出される。読み出された情報は、通信部５により、アンテナ３に対して送信される。
【０００４】
ホストコンピュータ１とデータ変換装置２との間は有線により接続され、デジタル信号によりデータの授受が行なわれる。図２は、ホストコンピュータ１とデータ変換装置２の間で授受されるデータのデータ構造を示している。データは、プリアングル、シンク、レングス、レングスのチェックサム、データ本体、データのチェックサム、およびポストアンブルから構成されている。ホストコンピュータ１からデータ変換装置２に対して送信され、ICカード４からデータを読み出したいときのデータのデータ本体部分には、読み出しを意味するコマンドのコードや、ICカード４内の読み出したいデータが書き込まれているメモリアドレスなどが含まれる。また、ICカード４にデータを書き込みたいときのデータのデータ本体部分には、書き込みを意味するコマンドのコードや、書き込みたいデータなどが含まれる。
【０００５】
逆に、データ変換装置２からホストコンピュータ１に対して送信され、ICカード４からデータを読み出したいというコマンドに対してのレスポンスのときのデータ本体部分には、ICカード４から読み出されたデータが含まれている。また、ICカード４にデータを書き込みたいというコマンドに対してのレスポンスの時のデータ本体部分には、ICカード４へのデータの書き込みが成功したか否かを示すステータスなどが含まれる。
【０００６】
図３は、データ変換装置２の内部構成を示すブロック図である。インタフェース１１は、ホストコンピュータ１とのデータをインタフェースする。デジタル回路部１２は、CPU（Central Processing Unit）（不図示）を含む回路であり、ホストコンピュータ１から出力されインタフェース１１によりインタフェースされたデータやアナログ回路部１３から出力されたデータを解析する。その際、デジタル回路部１２は、必要に応じ、メモリ１４にデータを書き込んだり、書き込まれているデータを読み出したりする。アナログ回路部１３は、アンテナ３へのアナログ信号、および、アンテナ３からのアナログ信号を処理する。
【０００７】
ホストコンピュータ１は、データ変換装置２にデジタル信号でコマンドを出力する。データ変換装置２のインタフェース１１は、ホストコンピュータ１から入力したデジタル信号を、デジタル回路部１２に出力する。デジタル回路部１２は、入力されたデジタル信号に含まれるコマンドを解析し、その解析結果に基づいて、ICカード４に送信すべきコマンドが決定される。決定されたコマンドは、暗号化や符号方式の変換などの処理が施され、アナログ回路部１３に出力される。アナログ回路部１３は、入力されたデジタル信号のコマンドのデータを、アナログ信号に変換し、アンテナ３（図１）に出力する。
【０００８】
アンテナ３は、入力したアナログ信号のコマンドを、ICカード４に対して無線で、電磁気的に発射する。発射されたコマンドは、ICカード４に受信される。ICカード４は、受信したコマンドを、内部のIC（不図示）により解析し、その解析結果に対応するレスポンスをアナログ信号として、アンテナ３に返す。
【０００９】
ICカード４から無線にて返信されたレスポンスを受信したアンテナ３は、データ変換装置２に、その受信したレスポンスをアナログ信号で伝送する。データ変換装置２は、アンテナ３から伝送されたレスポンスを解析し、その解析結果をホストコンピュータ１に対して、デジタル信号として出力する。
【００１０】
このように、データ変換装置２とアンテナ３は１対１で組み合わされて用いられているため、交通機関の改札口のように、複数のゲートが設置されている場合は、複数対のデータ変換装置２とアンテナ３が用いられる。図４は、複数のゲートが設けられている場合を模式的に示した図である。ゲート２１−１には、データ変換装置２−１とアンテナ３−１が、ゲート２１−２には、データ変換装置２−２とアンテナ３−２が、ゲート２１−３には、データ変換装置２−３とアンテナ３−３が、ゲート２１−Ｎには、データ変換装置２−Ｎとアンテナ３−Ｎ（以下、各アンテナ３−１乃至３−Ｎを個々に区別する必要がない場合、単にデータ変換装置３と記述する。また、他の装置についても同様に記述する）、というように、それぞれのゲート２１には、１対のデータ変換装置２とアンテナ３、それぞれ設置されている。
【００１１】
ICカード４−１乃至４−Ｎは、どのゲート２１−１乃至２１−Ｎを通過した場合においても認識されるようにされている。
【００１２】
このようにデータ変換装置２−１乃至２−Ｎを設置した場合、それらに対応するデータ変換装置２−１乃至２−Ｎとホストコンピュータ１との間に管理部２２を設置する必要がある。管理部２２は、ホストコンピュータ１から出力されたデータを、どのデータ変換装置２に伝送するか、また、どのデータ変換装置２から送信されたデータであるのかを管理したり、故障しているデータ変換装置２を検出したりする。
【００１３】
【発明が解決しようとする課題】
上述したように、複数のデータ変換装置２を設置した場合、それらのデータ変換装置２を管理するための管理部２２を設置する必要があった。しかしながら、管理部２２の設計には多大な労力を必要とするばかりでなく、システムの変更をする場合など、新たに設計し直す必要性があった。また、データ変換装置２とアンテナ３の間の通信は、アナログ信号で行われているため、距離を長くとると、外来ノイズや減衰のため、波形が歪み、誤動作の原因となるという課題があった。
【００１４】
本発明はこのような状況に鑑みてなされたものであり、アンテナにデータを処理する回路を備えさせることにより、システムの構成を簡略化するとともに、デジタル信号を扱うことにより機器間の距離を長くとれるようにすることを目的とする。
【００１５】
【課題を解決するための手段】
本発明の送受信装置は、アナログ信号を第１の装置に送信するとともに、前記第１の装置から出力されたアナログ信号を受信するループコイルアンテナを含む送受信手段と、アンテナ識別ＩＤを記憶したメモリを含み、第２の装置からのデジタル信号を、前記第１の装置に送信するアナログ信号に変換するとともに、前記第１の装置から受信したアナログ信号を、前記第２の装置に供給するデジタル信号に変換する変換手段とからなり、略平面のカード上に、前記変換手段を前記送受信手段の中央に配置した一体化した構造からなり前記第２の装置は、マルチドロップ方式で通信を行う装置であり、前記第２の装置からのデータに含まれるアンテナ識別ＩＤが、前記メモリに記憶されている前記アンテナ識別ＩＤと同一である場合、前記データに含まれているコマンドを処理し、前記第２の装置に前記送受信装置が増設され、その増設された送受信装置に電力が供給された時点で、その増設された送受信装置自信が増設されたものであることを知らせる信号を前記第２の装置に対して出力する。
【００１６】
本発明の送受信装置においては、アナログ信号を第１の装置に送信するとともに、第１の装置から出力されたアナログ信号を受信するループコイルアンテナと、アンテナ識別ＩＤを記憶したメモリを含み、第２の装置からのデジタル信号を、第１の装置に送信するアナログ信号に変換するとともに、第１の装置から受信したアナログ信号を、第２の装置に供給するデジタル信号に変換する変換手段が備えられ、略平面のカード上に、変換手段を送受信手段の中央に配置した一体化した構造とされ、第２の装置は、マルチドロップ方式で通信を行う装置とされ、第２の装置からのデータに含まれるアンテナ識別ＩＤが、メモリに記憶されているアンテナ識別ＩＤと同一である場合、データに含まれているコマンドが処理され、第２の装置に送受信装置が増設され、その増設された送受信装置に電力が供給された時点で、その増設された送受信装置自信から増設されたものであることを知らせる信号が第２の装置に対して出力される。
【００１７】
【発明の実施の形態】
図５は、本発明を適用したICカードシステムの一実施の形態の構成を示す図である。ホストコンピュータ１から出力されたコマンドは、コントローラ３１に入力される。コントローラ３１は、入力されたコマンドを、バス３２を介して、アクティブアンテナ３３−１乃至３３−Ｎに出力する。アクティブアンテナ３３−１乃至３３−Ｎは、それぞれ対応するICカード４−１乃至４−Ｎに対して、入力されたコマンドを無線にて送信する。アクティブアンテナ３３−１乃至３３−Ｎには、それぞれ電源３４−１乃至３４−Ｎが備え付けられており、それらの電源３４から電力が供給されるようにされている。
【００１８】
電力は、図６に示すように、電力を供給するための電力供給線４１を設け、コントローラ３１に接続されている電源４２から供給されるようにしても良い。このようにすることで、システムの変更、例えば、アクティブアンテナ３３の増設するなどの変更の際、簡便に、その増設を行うことができる。
【００１９】
ICカード４−１乃至４−Ｎは、それぞれ、どのアクティブアンテナ３３ともデータの授受が行えるようにしても良いし、特定のICカード４とアクティブアンテナ３３との間でのみデータの授受が行えるようにしても良い。
【００２０】
図７は、ホストコンピュータ１の内部構成を示すブロック図である。ホストコンピュータ１のCPU５１は、ROM（Read Only Memory）５２に記憶されているプログラムに従って各種の処理を実行する。RAM（Random Access Memory）５３には、CPU５１が各種の処理を実行する上において必要なデータやプログラムなどが適宜記憶される。入出力インタフェース（Ｉ／Ｆ）５４には、キーボード５５とマウス５６が接続されており、それらから入力された信号をCPU５１に出力する。また、入出力Ｉ／Ｆ５４には、ハードディスク（HDD）５７が接続されており、そこにデータ、プログラムなどを記録再生することができる。入出力Ｉ／Ｆ５４には、また、表示デバイスとしてのディスプレイ５８が接続され、さらに、コントローラ３１（図６）とも接続されている。内部バス５９は、これらの各部を相互に接続する。
【００２１】
コントローラ３１を、バス３２に接続されている全てのコントローラ３３−１乃至３３−Ｎに、同一のデータを送信するマルチドロップ方式のコントローラとすると、ICカードシステムは、図８に示すように、バス３２として送信用バス３２−１と受信用バス３２−２が設けられる構成になる。なお、電源は、図５または図６に示したように供給され、図８においては、その記載を省略する。
【００２２】
詳細は後述するが、マルチドロップ方式のコントローラ３１は、ホストコンピュータ１から入力されたコマンドを、送信用のバス３２−１を介して、全てのアクティブアンテナ３３−１乃至３３−Ｎに出力する。各アクティブアンテナ３３は、入力されたコマンドに対応するレスポンスを受信用バス３３−２を介してコントローラ３１に出力する。ここでは、コントローラ３１は、マルチドロップ方式を用いたコントローラとする。
【００２３】
図９は、アクティブアンテナ３３の内部構成を示すブロック図である。アクティブアンテナ３３は、データ変換装置２とアンテナ３とから構成されている。データ変換装置２とアンテナ３については、既に説明したので、その説明は省略する。このように、データ変換装置２とアンテナ３を一体化した構造とすることで、ICカードシステムの構成を変更する際など、その変更を容易に行うことが可能となる。また、コントローラ３１とアクティブアンテナ３３は、デジタル信号によりデータの授受を行うため、外来ノイズや減衰の影響が少なく、送信用バス３２−１と受信用バス３２−２（以下、送信用バス３２−１と受信用バス３２−２を１本のバスとし、図５または図６に示したようにバス３２と略記する）の距離を長くとることが可能となる。
【００２４】
しかしながら、アンテナ３とアナログ回路部１３とが一体化されていると、一方が発生する電磁波が、他方に影響を与えることが考えられる。その為、アンテナ３とICカード４との間の無線通信可能な距離が短くなるなどの不都合が発生することが考えられる。そのため、アンテナ３としてループコイルアンテナを用いる場合、図１０に示すように、そのループコイルアンテナの中央部分にアナログ回路部１３を含むデータ変換装置２が位置するように設置する。ループコイルアンテナの中央部分は、図１１に示すように、磁界強度がコイル付近よりも弱いため、アンテナ３とアナログ回路部１３との相互間での影響を軽減する事が可能となる。また、データ変換装置２の実装部分を小さく構成するようにすることにより、さらに、アンテナ３との相互間に与える影響を抑えることが可能となる。
【００２５】
各アクティブアンテナ３３は、それぞれ固有のIDを保持（例えば、メモリ１４に記憶）しており、そのIDにより、どのアクティブアンテナ３３であるかが判断できるようにされている。例えば、アクティブアンテナ３３−１のIDが０１、アクティブアンテナ３３−２のIDが０２、アクティブアンテナ３３−３のIDが０３、アクティブアンテナ３３−ＮのIDがＮというように、それぞれのアクティブアンテナ３３に対して固有のIDが付され、記憶される。例えば、このIDに８ビットを用いることにすると、２５６個のアクティブアンテナ３３を識別する事が可能である。このIDは、各アクティブアンテナ３３が固定的に設定されたものを用いるようにしても良いし、コントローラ３１が接続されているアクティブアンテナ３３にIDを付与し、各アクティブアンテナ３３は、付与されたIDをそれぞれ記憶するようにしても良い。
【００２６】
このようなアクティブアンテナ３３を含むICカードシステムにおいて、ホストコンピュータ１からコントローラ３１を介してアクティブアンテナ３３に対して出力されるデータのデータ構成を図１２に示す。図１２に示したデータ構成は、図２に示したデータ構成に、アクティブアンテナ識別IDという、アクティブアンテナ３３を識別する為に付されたIDに関するデータが追加された構成とされている。ホストコンピュータ１は、コマンドをコントローラ３１に出力する際、そのコマンドを出力したいアクティブアンテナ３３のIDも出力する。コントローラ３１は、図１２に示したデータ構成をもち、ホストコンピュータ１から入力されたコマンドを含むデータを送信用バス３２−１を介して、アクティブアンテナ３３−１乃至３３−Ｎに対し、一括して送信する。
【００２７】
アクティブアンテナ３３−１乃至３３−Ｎは、それぞれ受信したデータに含まれるアクティブアンテナ識別IDを調査し、その調査結果のIDと、メモリ１４（図９）に記憶されているIDとを比較し、同一であるか否かを判断する。アクティブアンテナ３３のデジタル回路部１２は、受信したIDがメモリ１４に記憶されているIDと同一ではないと判断した場合、その受信したデータを破棄し、同一であると判断した場合、受信したデータに含まれるコマンドに対応する処理を行い、その処理結果をアナログ回路部１３に出力する。アナログ回路部１３は、デジタル信号をアナログ信号に変換し、アンテナ３に出力する。
【００２８】
アンテナ３から出力されたコマンドを受信したICカード４は、そのコマンドに対応するレスポンスをアンテナ３に返す。アンテナ３により受信されたレスポンスは、データ変換装置２により、図１２に示したようなデータ構成のデータに変換され、コントローラ３１に入力される。コントロール３１に入力されたデータのアクティブアンテナ識別IDは、送信元のアクティブアンテナ３３のIDである。
【００２９】
このように、コントローラ３１に接続されているアクティブアンテナ３３−１乃至３３−Ｎに対して同一のデータを送信し、そのデータを受信した各アクティブアンテナ３３が、自分宛のデータであるか否かを判断することにより、自分宛であると判断したアクティブアンテナ３３だけが処理を実行する。
【００３０】
ホストコンピュータ１が必要な時に、所望のアクティブアンテナ３３のIDを指定してコマンドを送信するようにしても良いが、図１３に示すように、時分割に順次アクティブアンテナ識別IDを変更してコマンドを送信するようにしても良い。
【００３１】
次に、具体的にホストコンピュータ１とコントローラ３１の接続をＲＳ２３２Ｃ規格に基づくケーブルを用い、コントローラ３１と各アクティブアンテナ３３との接続をＲＳ４８５規格に基づくケーブルを用いる場合を説明する。図１４に示したように、ホストコンピュータ１とコントローラ３１をＲＳ２３２Ｃ規格のケーブルで接続すると、コマンド送信用のコマンドバス６１、レスポンス用のレスポンスバス６２、およびグランド６３が、それぞれ設けられる。
【００３２】
コントローラ３１とアクティブアンテナ３３をＲＳ４８５規格に基づくケーブルで接続すると、データは、差動信号で伝送されるため、差動信号のプラス側を伝送するバスプラス６４とマイナス側を伝送するバスマイナス６５とが設けられる。また、アクティブアンテナ３３を作動させるための電源も電源ライン６６を設けることにより、コントローラ３１から供給される。さらに、グランド６７が設けられる。バスプラス６４とバスマイナス６５は、コントローラ３１からアクティブアンテナ３３へのコマンドの伝送と、アクティブアンテナ３３からコントローラ３１へのレスポンスの伝送とで共用される。
【００３３】
図１５は、図１４に示したように接続されるコントローラ３１の内部構成を示すブロック図である。ＲＳ２３２Ｃインタフェース７１は、ＲＳ２３２Ｃ規格のケーブルを介してホストコンピュータ１から伝送されたコマンドをインタフェースする。インタフェースされたコマンドは、CPU７２により解析される。CPU７２は、データを解析する際、ROM７３に記憶されているプログラムに従い行う。RAM７４は、CPU７２により、適宜、データの書き込や読み出しが行われる。CPU７２により解析されたデータは、ＲＳ４８５インタフェース７５にから、バスプラス６４とバスマイナス６５の２つのバスにより、アクティブアンテナ３３に伝送される。
【００３４】
同様に、アクティブアンテナ３３からのレスポンスは、ＲＳ４８５インタフェース７５によりインタフェースされ、CPU７２により解析され、ＲＳ２３２Ｃインタフェース７１から、レスポンスバス６２を介してホストコンピュータ１に伝送される。これらの各部は、内部バス７６により相互に接続されている。レギュレータ７７は、電源３４から供給される電力をコントローラ３１の各部に供給すると共に、電源ライン６６を介して、アクティブアンテナ３３にも供給される。
【００３５】
なお、コントローラ３１とアクティブアンテナ３３の間で授受されるデータに、暗号化されたものを用いるようにすることにより、秘匿性が保たれる。
【００３６】
このようなコントローラ３１とデータの授受を行うアクティブアンテナ３３の内部構成は、図９に示したアクティブアンテナ３３のインターフェース１１にＲＳ４８５規格に対応したインタフェースを用いることにより実現される。
【００３７】
上述した実施の形態においては、コントローラ３１とアクティブアンテナ３３を接続するのに、有線のケーブルを用いる場合を説明したが、無線LAN（Local Area Network）を用いるようにしても良い。無線を用いることにより、ICカードシステムの構成を変更する際、ケーブルの配線などを考慮する必要がないため、簡便に構成を変更する事が可能となる。このように、コントローラ３１とアクティブアンテナ３３を無線LANで接続した場合、コントローラ３１とアクティブアンテナ３３の間で行われる無線通信と、アクティブアンテナ３３とICカード４との間で行われる無線通信と、２種類の無線通信が行われることになる。
【００３８】
この２種類の無線通信において、同一の周波数のキャリア信号を使用し、データの始まりを示すシンクパターンを異なるパターンにする事で、コントローラ３１とアクティブアンテナ３３との間で行われている無線通信なのか、アクティブアンテナ３３とICカード４との間で行われている無線通信なのかを区別する事が可能となる。また、このようにすることで、占有する周波数帯域を少なくすることが可能である。
【００３９】
また、ICカードシステムの構成が変更された場合、例えば、新規にアクティブアンテナ３３が増設された場合、その新規に増設されたアクティブアンテナ３３に電力が供給された時点で、アクティブアンテナ３３からコントローラ３１に対して、新規に増設されたものであることを知らせる信号が出力されるようにしておく。または、コントローラ３１がアクティブアンテナ３３の総数やシステムの構成を検出し、各アクティブアンテナ３３を識別する機能を有するようにしておく。例えば、IDのテーブルを保持し、新たなアクティブアンテナ３３が接続されたと判断した場合、このIDのテーブルを更新するようにしておく。このようにしておくことにより、システムの柔軟性、汎用性が高めることが可能となる。
【００４０】
上述した実施の形態においては、コントローラ３１は、接続されているアクティブアンテナ３３に対して同一のコマンドを伝送する場合を説明したが、伝送するアクティブアンテナ３３を選択してからコマンドを伝送するようにしても良い。図１６は、そのような場合のICカードシステムの構成を示す図である。コントローラ３１とアクティブアンテナ３３−１乃至３３−Ｎは、データの授受を行う為のバス３２で互いに接続されると共に、通信許可を与える信号を伝送する通信許可ライン８１とも接続される。
【００４１】
ICカードシステムを、このような構成にすると、各アクティブアンテナ３３は、IDを記憶する必要がなくなる。すなわち、コントローラ３１は、コマンドを伝送したいアクティブアンテナ３３に対して、通信許可を通信許可ライン８１を介して伝送する。アクティブアンテナ３３は、通信許可が得られた時だけ動作する。従って、通信許可が与えられているアクティブアンテナ３３には、バス３２を介して伝送されるコマンドが入力されるが、通信許可が与えられていないアクティブアンテナ３３は、動作していないため、バス３２を介して伝送されたコマンドを入力する事ができない。
【００４２】
通信許可は、ホストコンピュータ１が所望のアクティブアンテナ３３に対して与えるようにしても良いし、時分割にアクティブアンテナ３３−１から順に、アクティブアンテナ３３−Ｎまで与えるようにしても良い。許可が与えられることにより、動作中とされているアクティブアンテナ３３から、ICカード４からのレスポンスが得られれば、アクティブアンテナ３３−１乃至３３−Ｎのうちの、どのアクティブアンテナ３３から返信されたレスポンスであるかを特定する事ができる。この時分割の時間周期を短くとることにより、コントローラ３１は、見かけ上、複数のアクティブアンテナ３３と通信を行っている状態とすることができる。
【００４３】
上述した実施の形態では、コントローラ３１をマルチドロップ方式として説明したが、図１７に示すように、コントローラ３１にアクティブアンテナ３３−１乃至３３−Ｎと接続されるポート９１−１乃至９１−Ｎを設けるようにしても良い。このように、コントローラ３１をマルチポートコントローラとし、スター型のネットワーク形式でアクティブアンテナ３３−１乃至３３−Ｎを接続した場合、アクティブアンテナ３３−１乃至３３−Ｎは、それぞれ固有のIDを記憶する必要はない。コントローラ３１は、ポート９１−１乃至９１−Ｎを区別できるようにされている。コントローラ３１は、所望のアクティブアンテナ３３に対応するポート９１により、コマンドを送信し、アクティブアンテナ３３から返信されたレスポンスを受信したポート９１を判断することにより、どのアクティブアンテナ３３から送信されたレスポンスであるかを判断する。
【００４４】
コントローラ３１に予め、余分にポート９１を用意しておけば、新たにアクティブアンテナ３３を設置したいとき、その設置を容易に行うことが可能となる。
【００４５】
次に、図１８を参照して、上述した一連の処理を実行するプログラムをコンピュータにインストールし、コンピュータによって実行可能な状態とするために用いられる媒体について説明する。
【００４６】
プログラムは、図１８（Ａ）に示すように、パーソナルコンピュータ１０１に内蔵されている記録媒体としてのハードディスク１０２に予めインストールした状態でユーザに提供することができる。
【００４７】
あるいはまた、プログラムは、図１８（Ｂ）に示すように、フロッピーディスク１１１、CD-ROM１１２、ＭＯディスク１１３、DVD１１４、磁気ディスク１１５、半導体メモリ１１６などの記録媒体に、一時的あるいは永続的に格納し、パッケージソフトウエアとして提供することができる。
【００４８】
さらに、プログラムは、図１８（Ｃ）に示すように、ダウンロードサイト１２１から、無線で衛星１２２を介して、パーソナルコンピュータ１２３に転送したり、ローカルエリアネットワーク、インターネットといったネットワーク１３１を介して、有線または無線でパーソナルコンピュータ１２３に転送し、パーソナルコンピュータ１２３において、内蔵するハードディスクなどにダウンロードさせるようにすることができる。
【００４９】
本明細書における媒体とは、これら全ての媒体を含む広義の概念を意味するものである。
【００５０】
【発明の効果】
以上の如く本発明よれば、アナログ信号の送受信を行う装置と、アナログ信号を処理する装置とが、互いに影響を及ぼすようなことを防ぐことが可能となる。
【図面の簡単な説明】
【図１】  ICカードシステムの構成を示すブロック図である。
【図２】ホストコンピュータ１とデータ変換装置２との間で授受されるデータのデータ構造を説明する図である。
【図３】データ変換装置２の内部構成を示すブロック図である。
【図４】複数のアンテナを接続する場合のICカードシステムの構成を示すブロック図である。
【図５】本発明を適用したICカードシステムの構成を示すブロック図である。
【図６】他の電源の接続の仕方について説明する図である。
【図７】ホストコンピュータ１の内部構成を示すブロック図である。
【図８】バスの接続について説明する図である。
【図９】アクティブアンテナ３３の内部構成を示すブロック図である。
【図１０】データ変換装置２とアンテナ３の設置について説明する図である。
【図１１】図１０に示したアンテナ３の磁界強度について説明する図である。
【図１２】ホストコンピュータ１とコントローラ３１との間で授受されるデータのデータ構造を説明する図である。
【図１３】時分割でデータを送信する場合を説明する図である。
【図１４】ＲＳ２３２Ｃ規格のケーブルとＲＳ４８５規格のケーブルを用いた場合の接続関係を説明する図である。
【図１５】図１４に示したコントローラ３１の内部構成を示すブロック図である。
【図１６】コントローラ３１とアクティブアンテナ３３との他の接続の仕方について説明する図である。
【図１７】コントローラ３１の他の構成について説明する図である。
【図１８】媒体を説明する図である。
【符号の説明】
１  ホストコンピュータ，  ２  データ変換装置，  ３  アンテナ，  ４  ICカード，  ３１  コントローラ，  ３２  バス，  ３３  アクティブアンテナ，３４  電源，  ８１  通信許可ライン，  ９１  ポート
【図１】
0004432148.tif 000002
【図２】
0004432148.tif 000003
【図３】
0004432148.tif 000004
【図４】
0004432148.tif 000005
【図５】
0004432148.tif 000006
【図６】
0004432148.tif 000007
【図７】
0004432148.tif 000008
【図８】
0004432148.tif 000009
【図９】
0004432148.tif 000010
【図１０】
0004432148.tif 000011
【図１１】
0004432148.tif 000012
【図１２】
0004432148.tif 000013
【図１３】
0004432148.tif 000014
【図１４】
0004432148.tif 000015
【図１５】
0004432148.tif 000016
【図１６】
0004432148.tif 000017
【図１７】
0004432148.tif 000018
【図１８】
0004432148.tif 000019